(57)【特許請求の範囲】
【請求項１】
左右両側面下方の前後に主輪を装備し、上面が開口する糞便収納器具本体と、この上面の開口に被さると共に、ヒンジにて連結された前方部と後方部との二つ折りとなる上面カバーと、二つ折りの上面カバーの後方部及び器具本体の底部にヒンジにて連結された後面カバーと、上面カバーの前方部の上面に装備された把手と、更に把手を後方に引き倒して器具本体の後面カバー及び二つ折りの上面カバーの後方部とが地面に沿って後方に展開する際、その後面カバーと上面カバーの後方部とのヒンジ及び上面カバーの前方部と後方部とのヒンジの両側に装備されると共に、地上面に接する補助輪とで成したことを特徴とした犬用携帯型糞便処理器具。
【発明の詳細な説明】
【０００１】
【発明の属する技術分野】
本発明は、犬が糞便をするのと同時に、その糞便を地面に落とすことなく、直に捕捉し処理する為の、所謂「並行処理方式」の携帯型糞便処理器具に関する。
【０００２】
【従来の技術】
従来の糞便処理方法は、犬が糞便をした後で、ビニール袋等に手を入れて犬の糞便をつまみ取るか、或いはスコップ類ですくい取って、袋に入れて処理するのが主流であった。
市販の糞便処理器具に関しても、種類が少ない上に、犬が糞便をした後で、その糞便を紙やビニール等で覆って挟み取るか、すくい取る方式のものが殆どで、多少の利便性はあるものの、器具に付いた糞便を拭き取ったり、手を使って糞便を処理する、といった問題は依然として残っており、更には携帯性やデザイン面でも、処理器具の域を越えた、犬の飼い主の購買意欲をそそる様な魅力ある器具が無いというのが実状である。
【０００３】
【発明が解決しようとする課題】
従来の糞便の処理に際しては、糞便をつまみ取る時の何とも言えない感触、すくい取る時の不快感、そして道路等に付着した糞便を拭き取る面倒臭さ等の問題点があった。
これらが、犬が排泄した後で糞便を処理する、いわゆる「事後処理方式」の代表的な欠点であり、犬の飼い主たちが糞便の後始末をしないで立ち去ってしまう最大の理由にもなっている。それ故に、これらの問題点を解消することが、糞便処理器具に求められる重要な課題だと言える。
【０００４】
それ故に、従来の「事後処理方式」ではなく、犬が糞便をするのと同時に糞便を処理する、いわゆる「並行処理方式」によって糞便を処理する器具を提供することで、上記の諸問題点を解決する。
【０００５】
【課題を解決するための手段】
主輪を装備した器具本体の上面カバーの前方部に湾曲した把手を取り付け、上面カバーのヒンジ夫々の両側に補助輪を装着する。更に、器具本体内に収納箱を格納し、上面カバーは携帯時、留め具と支持突起により器具本体に固定される構造を有した並行処理方式の携帯型糞便処理器具。
【０００６】
【発明の実施の形態】
本発明は、迅速な操作性を実現する為に、器具の開閉の方法に独特の工夫を凝らしている。
以下、本発明の実施の形態を示す図面に基づいて説明する。
図１に示す如く、ヒンジ（４ａ）で屈曲する上面カバーの前方部（２ａ）に把手（１）を取り付け、把手の支柱（１ａ）の上下部分を湾曲させた形状にする。
【０００７】
図１の状態から図２に示す如く、上面カバー前方部（２ａ）は把手（１）を後ろに引き倒すと開口し、上面カバーの前方部及び後方部（２ａ、２ｂ）をそのまま後ろにスライドさせると、それに連動してヒンジ（４ａ、４ｂ）が屈曲して、後面カバー（５ａ）が器具本体（５）の底面、更には地上面に沿って展開し、開口部が十分に拡がる構造とする。
【０００８】
また、器具本体の左右の側面下方の前後に主輪（６）を、上面カバーの両ヒンジ部夫々の両側に補助輪（３）を装備し、接地時に器具が可動する構造とする。
【０００９】
上面カバーは器具本体の前方部でマグネット、ボール等を利用した留め具（１０ａ、１０ｂ）により、そして器具本体の両側面で支持突起（９ａ、９ｂ）により器具本体にしっかり固定させて、携帯時の揺れや振動に対しても、誤って上面カバーが開かない様にする。
【００１０】
更に、器具本体に収納箱（７）を格納し、底面の収納箱固定座（８）を器具本体内部の収納箱固定座嵌め穴（１１）に入れることで、位置を微調整する為に器具を動かしても、収納箱がずれない様にする。
【００１１】
使用に際しては、専用の既製敷紙を始め、本発明の付属品とする敷紙作成用紙型を用いて新聞紙等で簡単に作ることが出来る自作の敷紙を器具本体内の収納箱の内側に敷く。
【００１２】
【発明の効果】
本発明は、犬が糞便をするのと並行して糞便を処理するので、従来の「事後処理方式」のように、糞便をつまみ取る時に不快な思いをしたり、道路等に付着した糞便を拭き取ったりする手間が掛からず、片手で簡便且つ衛生的に糞便を処理する事が出来る「並行処理方式」であり、更には同じ「並行処理方式」の器具にはない、下記の様な特徴を有している。
【００１３】
特に、把手を地面近くまで倒さなくても、上面カバーを完全に開口させることが出来るので、楽な姿勢で素早く操作出来る。
即ち、上面カバーを二つに屈曲させるのは、把手と支点（ヒンジ４ａ）間の距離が短い程、より軽い力と少ない動きで済み、これにより、片手で素早く楽々と上面カバーを開けることが出来る様になるからである。
【００１４】
更に、地面上に倒した時に上面カバーが二つ折りになり、上面カバーの前方部だけの高さになるので、犬がしゃがみ込んだ時に器具に触れたりすることも殆どなくなると共に、後ろから犬が糞便をする状況を確認し易くなる。それに加えて、上面カバーが折り曲がらないものに比べ、カバー展開時にカバーの高さを極力低く抑えることが出来る為、器具の全長を長くすることが出来るので、より一層糞便を捕捉し易くなる。
【００１５】
又、主輪及び補助輪によって器具を水平移動させることが出来るので、犬の動きに伴って器具の出し入れも容易となり、然も地面と器具との間に適度な空間が生じる為、器具の出し入れ時にカバーが地面に引っ掛からず軽快に行え、且つキズが付くことも無い。
【００１６】
補足して、本発明をするに至った背景として、根強いペット・ブームの陰で、殆どの自治体や地域が犬の糞害に頭を痛めている。飼い主たちのマナーやモラルの低下が根本的な原因ではあるが、糞害を無くす為の試み、特に飼主側の視点に立った、飼主側に受け入れられ易い解決策（手段）が無かったことが、犬たちの糞害を助長していると言える。
【００１７】
特に、そんな飼主たちが、是非使ってみたいと感じる器具―ペットの散歩時には必携しなければならないという様な強制意識からではなく、携帯して散歩に行きたくなる様な魅力ある器具を提供することで、「愛するペットとの散歩をより楽しく、快いものにして欲しい」というのが、本発明の願いである。
【００１８】
【図面の簡単な説明】
【図１】 本発明の斜視外観図である。
【図２】 本発明の斜視展開図である。
【００１９】
【符号の説明】
１             把手
１ａ           把手支柱部
２ａ           上面カバー前方部
２ｂ           上面カバー後方部
３             補助輪
４ａ〜ｃ       ヒンジ
５             器具本体
５ａ           後面カバー
６             主輪
７             収納箱（糞便受け）
８             収納箱固定座
９ａ、９ｂ     上面カバー支持突起
１０ａ、１０ｂ 留め具
１１           収納箱固定座嵌め穴
【図１】
0003799373.tif 000002
【図２】
0003799373.tif 000003